(57)【特許請求の範囲】
【請求項１】
光波長領域３５０〜４５０ｎｍの光を発する短波長照明部、光波長領域６００〜７００ｎｍの光を発する赤色照明部、光波長領域７００〜８００ｎｍの光を発する遠赤色照明部のうち、少なくとも１つの照明部を有する育成照明部と、
光波長領域４５０〜６００ｎｍの光を発する観賞照明部と、
前記育成照明部と前記観賞照明部を点灯する点灯回路部とを備えた植物照明装置において、
前記育成照明部は、発光ダイオードを有する光源を備え、
前記観賞照明部は、高演色評価指数を有する電球を有する光源と、この光源に装着された凹型反射板と、前記光源から対象植物方向に発生する熱を低減する熱対策部とを備え、
前記育成照明部と前記観賞照明部の照射方向を可変とする筐体に一体収納することを特徴とする植物照明装置。
【請求項２】
光波長領域３５０〜４５０ｎｍの光を発する短波長照明部、光波長領域６００〜７００ｎｍの光を発する赤色照明部、光波長領域７００〜８００ｎｍの光を発する遠赤色照明部のうち、少なくとも１つの照明部を有する育成照明部と、
光波長領域４５０〜６００ｎｍの光を発する観賞照明部と、
前記育成照明部と前記観賞照明部を点灯する点灯回路部とを備えた植物照明装置において、
前記観賞照明部は、対象植物の主構成部分が有する色に対して、国際照明学会特殊演色評価数計算用の試験色に対する特殊演色性評価数を高める発光分布を有する照明部を備えたことを特徴とする植物照明装置。
【請求項３】
前記観賞照明部に前記照明部を複数設け、前記複数の前記照明部を選択的に点消灯することを特徴とする請求項２記載の植物照明装置。
【請求項４】
前記育成照明部または前記観賞照明部に複数の照明部を備え、照前記複数の明部の点灯スケジュールを各々個別に設定するタイマーを備えた特徴とする請求項１〜３のいずれかに記載の植物照明装置。
【請求項５】
光波長領域３５０〜４５０ｎｍの光を発する短波長照明部、光波長領域６００〜７００ｎｍの光を発する赤色照明部、光波長領域７００〜８００ｎｍの光を発する遠赤色照明部のうち、少なくとも１つの照明部を有する育成照明部と、
光波長領域４５０〜６００ｎｍの光を発する観賞照明部と、
前記育成照明部と前記観賞照明部を点灯する点灯回路部とを備えた植物照明装置において、
前記育成照明部または前記観賞照明部に複数の照明部を備え、前記複数の照明部を各々調光し、混光して得られる混光波長分布をＪＩＳ標準光源またはＪＩＳ常用光源の発光波長分布に近似することを特徴とする植物照明装置。
【請求項６】
前記育成照明部の短波長照明部、赤色照明部、遠赤色照明部のうち一つまたは全部の照明部、または前記観賞照明部を、選択的に調光することを特徴とする請求項１〜５のいずれかに記載の植物照明装置。
【請求項７】
前記育成照明部の総照射量および前記観賞照明部の照射量を対象植物特有の光合成光補償点強度以上かつ光合成飽和点強度以下にすることを特徴とする請求項１〜６のいずれかに記載の植物照明装置。
【請求項８】
前記観賞照明部の照射量を対象植物特有の光合成光補償点強度とし、かつ前記育成照明部では少なくとも赤色照明部により照射することを特徴とする請求項１〜６のいずれかに記載の植物照明装置。
【請求項９】
前記育成照明部または前記観賞照明部は、
透光性材料からなる導光板と、
この導光板の一端面に配置される光源と、
この光源と前記導光板を収納する筐体とを備えたことを特徴とする請求項１〜８のいずれかに記載の植物照明装置。
【請求項１０】
前記観賞照明部は、照明用光源を収納する光源収納部と、この光源収納部から隔てて設けられ、照明を行う光出射部と、この光出射部と前記光源収納部を結び、前記光源収納部からの光を前記光出射部へ搬送する透光性光搬送部とを備え
前記光源収納部に８００ｎｍ以上の光を不透過とする手段、または前記透光性光搬送部に８００ｎｍ以上の光を不透過とする光搬送部材料を有することを特徴とする請求項１〜８のいずれかに記載の植物照明装置。
【請求項１１】
人の接近、在否を検出する人体検出手段を備え、前記検出手段による人の接近、在否の検出時には観賞照明部を点灯し、非検出時には観賞照明部を消灯することを特徴とする請求項１〜１０のいずれかに記載の植物照明装置。
【発明の詳細な説明】
【０００１】
【発明の属する技術分野】
この発明は、住宅内、施設内、屋外等に設置され、植物の育成または観賞に用いられる植物照明装置に関する。
【０００２】
【従来の技術】
図１６は、例えば特開平８-３７９３０公報に示された従来の屋内植物栽培方法に用いられる植物照明装置の斜視図であり、図において、自立した支柱４１に発光体４０を取り付け、支柱４１を発光体４０の高さ等を任意に変えられるような可変構造とし、植物の種類等に応じて照射角度、照射距離等を調節する。発光体４０には、発光ダイオード等の光半導体を用い、植物体の成長に不足する光量を発光体によって補いながら、植物と発光体４０の間隔を必要に応じて自在に変更しながら植物を栽培する。
【０００３】
発光体４０の発光波長には、植物の光合成、花成及び形態形成に利用される６００ｎｍ〜７００ｎｍの光を用い、特に光量が不足すると徒長気味となり形態に影響する４００ｎｍ〜５００ｎｍの光が好ましい。
また、屋内植物栽培方法においては、赤色光、青色光の他に可視光を発する光半導体を加えてもよく、これによる配色の工夫により装飾的効果も期待できる。
【０００４】
【発明が解決しようとする課題】
上記のような従来の屋内植物栽培方法に用いられる植物照明装置では、植物体の成長に不足する光量を発光体４０によって補いながら屋内で植物を栽培することを目的としており、上記方法による照明光だけでは植物栽培に十分必要な光量を与えることはできず、また可視光光源を加え装飾効果を生み出す具体的手法が明らかでないという問題点があった。
【０００５】
この発明は、上述のような課題を解決するためになされたもので、植物栽培に十分必要な光量を与えることができ、観賞性を高めることができ、植物の育成状態をも制御できる植物用照明装置を得るものである。
【０００６】
【課題を解決するための手段】
この発明にかかる植物照明装置においては、光波長領域３５０〜４５０ｎｍの光を発する短波長照明部、光波長領域６００〜７００ｎｍの光を発する赤色照明部、光波長領域７００〜８００ｎｍの光を発する遠赤色照明部のうち、少なくとも１つの照明部を有する育成照明部と、光波長領域４５０〜６００ｎｍの光を発する観賞照明部と、前記育成照明部と前記観賞照明部を点灯する点灯回路部とを備えたものである。
【０００７】
また、前記育成照明部の短波長照明部、赤色照明部、遠赤色照明部のうち一つまたは全部の照明部、または前記観賞照明部を、選択的に調光するものである。
【０００８】
さらに、前記育成照明部の総照射量および前記観賞照明部の照射量を対象植物特有の光合成光補償点強度以上かつ光合成飽和点強度以下にするものである。
【０００９】
また、前記観賞照明部の照射量を対象植物特有の光合成光補償点強度とし、かつ前記育成照明部では少なくとも赤色照明部により照射するものである。
【００１０】
また、前記育成照明部または前記観賞照明部は、透光性材料からなる導光板と、この導光板の一端面に配置される光源と、この光源と前記導光板を収納する筐体とを備えたものである。
【００１１】
また、前記育成照明部は、発光ダイオードを有する光源を備え、前記観賞照明部は、高演色評価指数を有する電球を有する光源と、この光源に装着された凹型反射板と、前記光源から対象植物方向に発生する熱を低減する熱対策部とを備え、前記育成照明部と前記観賞照明部の照射方向を可変とする筐体に一体収納するものである。
【００１２】
また、前記観賞照明部は、照明用光源を収納する光源収納部と、この光源収納部から隔てて設けられ、照明を行う光出射部と、この光出射部と前記光源収納部を結び、前記光源収納部からの光を前記光出射部へ搬送する透光性光搬送部とを備え前記光源収納部に８００ｎｍ以上の光を不透過とする手段、または前記透光性光搬送部に８００ｎｍ以上の光を不透過とする光搬送部材料を有するものである。
【００１３】
また、前記観賞照明部は、対象植物の主構成部分が有する色に対して、国際照明学会特殊演色評価数計算用の試験色に対する特殊演色性評価数を高める発光分布を有する照明部を備えたものである。
【００１４】
また、前記観賞照明部に前記照明部を複数設け、前記複数の前記照明部を選択的に点消灯するものである。
【００１５】
また、前記育成照明部または前記観賞照明部に複数の照明部を備え、前記複数の照明部を各々調光し、混光して得られる混光波長分布をＪＩＳ標準光源またはＪＩＳ常用光源の発光波長分布に近似するものである。
【００１６】
また、前記育成照明部または前記観賞照明部に複数の照明部を備え、照前記複数の明部の点灯スケジュールを各々個別に設定するタイマーを備えたものである。
【００１７】
また、人の接近、在否を検出する人体検出手段を備え、前記検出手段による人の接近、在否の検出時には観賞照明部を点灯し、非検出時には観賞照明部を消灯するものである。
【００１８】
【発明の実施の形態】
実施の形態１.
図１はこの発明の実施の形態１を示す植物照明装置の構成図であり、図において、植物照明装置は、育成照明部４と、観賞照明部５と、この２つの照明部に電力を供給する点灯回路部６を備え、育成照明部４と観賞照明部５は対象植物を照明するように設置される。さらに、育成照明部４は、３５０〜４５０ｎｍの発光波長を有する短波長照明部１、６００〜７００ｎｍの発光波長を有する赤色照明部２、７００〜８００ｎｍの発光波長を有する遠赤色照明部３の３つの照明部うち少なくとも１つの照明部を有するように構成される。
【００１９】
次に、育成照明部４の作用について説明する。
まず、短波長照明部１の波長域３５０〜４５０ｎｍは、その照射方向に植物の育成方向を誘導するいわゆる屈光効果、また花や果実では色付きを高める着色促進などの効果を有する波長域である。
【００２０】
赤色照明部２の波長域６００〜７００ｎｍ及び遠赤色照明部３の波長域７００〜８００ｎｍは、植物の形態形成に関係する波長域であり、赤色照明部２の放射量を遠赤色照明部３の放射量より大きくすることで植物の形態を伸張方向に、また遠赤色照明部３の放射量を赤色照明部２の放射量より大きくすることで植物の形態を萎縮方向に形成することができる。
また、植物の種類によっては、６００〜７００ｎｍの光で発芽促進、７００〜８００ｎｍの光で発芽抑制現象を生じるものもある。さらに、６００〜７００ｎｍの光は、植物の光合成波長域で吸収効率の高い領域であり、育成という意味では非常に効率のよい波長域である。
【００２１】
よって、育成照明部４は、上記３つの照明部のうち、植物育成の目的に応じて上述したような効果を要する照明部を選択し組み合わせて照明を行う。
なお、育成照明部４の各照明部は、各波長域内で同一または異なる発光波長を有する複数の照明部で構成してもよく、また、それらの空間的配置については特定されるものではない。
【００２２】
次に、観賞照明部５の作用について説明する。
観賞照明部５は、可視光域において上記育成照明部４を構成する三つの照明部が有しない少なくとも４５０〜６００ｎｍの波長域を有するように構成する。育成照明部４だけで得られる発光分布は青色と赤色に偏りがあるため観賞用としては演色性が良好とは言えず、またそれら波長領域の組み合わせで得られる光は演出光として設計自由度がけして高いとはいえない。したがって、観賞照明部５で照射する波長域は、可視光領域の中で波長成分の連続性を高め、植物の演色性を向上させるため、あるいは植物及びその周囲空間を含めての演出自由度を向上させるためには欠かせない成分である。
【００２３】
さらに育成照明部４で必要となる放射量は、自然光照明下あるいは一般の屋内照明下での３５０〜８００ｎｍにおける総放射量に比較して、ごく少量であることが少なくない。したがって育成照明部４の放射量のみでは植物成長や維持に必要なエネルギーを作り出す光合成活動が十分とは必ずしも言えない。しかしながら、観賞照明部５の発光波長域は、光合成反応を生じる波長域に含まれるため、観賞照明を実現する機能を有する以外に、光合成活動を高める機能を有することができる。
【００２４】
なお、観賞照明部５の各照明部は、各波長域内で同一または異なる発光波長を有する複数の照明部で構成してもよく、また、それらの空間的配置については特定されるものではない。
以上のように構成することにより、上述したような植物の育成効果を得るつつ、同時に植物の演色性、演出を向上させる観賞照明を行うことできる。
【００２５】
次に、各照明部を調光可能にした場合について説明する。
本実施形態の植物照明装置において、育成照明部４を構成する短波長照明部１、赤色照明部２、遠赤色照明部３の各部を選択的に調光可能とするようにしてもよい。これにより、対象植物の種類が多い場合には植物の種類に応じた屈光性や伸張度合いなど所望の形態の形成、また、花、果実を対象とする場合には所望の色付きの度合いに応じて、各照明部の照射量を各々制御することが可能となる。
【００２６】
さらに、観賞照明部５を複数の照明部で構成する場合には、その一部または全部を選択的に調光可能とするような構造にしてもよい。その場合、複数照明部の調光度合いを制御することにより、観賞照明部５全体としての照明発光分布を変えることができる。例えば４５０ｎｍ付近の光成分を強くすることにより青味を強調することができ、５００ｎｍ付近の光成分を強くすると緑を、６００ｎｍ付近の光成分を強くすると黄赤を強調することができる。これにより、植物が設置される空間や植物の種類、あるいは観察者の心理的状態に応じが演出効果を高めることができる。さらに、必要に応じて４５０〜６００ｎｍ以外の光成分を含めてもよく、例えば７００ｎｍ付近の光を多く含めることにより、赤色を加えた演出を行うことができる。
【００２７】
なお、植物照明の目的に応じて、育成照明部４と観賞照明部５の両者を構成する複数の照明部を同時に調光するようにしてもよい。
以上のように各照明部を調光可能とすることにより、周囲空間の配色や照度に応じて、観賞照明部５の照射量を調整し、花木の色の演出効果や演色性を高めることができる。
【００２８】
次に、照明部の照射量について説明する。
育成照明部４及び観賞照明部５の総照度量を対象植物特有の光合成光補償点照度以上とすることで、植物が衰弱することのないよう育成のためのエネルギーを供給することができる。一方、総照度量を光合成飽和点照度以下とすれば植物の成長、維持に最大限利用されるエネルギーを限度に、植物に対し無駄に使われる光を無くし使用電力面で有効な照射することができる。
【００２９】
ここで、前述したように育成照明部４で必要となる放射量は、自然光照明下あるいは一般の屋内照明下での総放射量に比較して、ごく少量であることが少なくない。したがって、そのような場合には観賞照明部５の照射量の調整のみを考えてもよい。
【００３０】
しかしながら、観賞照明部５の照射量を対象植物特有の光合成光補償点強度とした場合には、それは植物の光合成活動において見かけ上、二酸化炭素の吸収、放出が均衡する点であり、植物衰弱への限界点でもある。したがって光合成光補償点照度においては照明電力を低く抑えることができるが、光合成補償点以上の光を与えた場合に比較して植物老化速度が速くなる傾向にある。
【００３１】
そこで、観賞照明部５による光合成光補償点照度に加えて、育成照明部の波長域を限定し、光合成効率のよい６００〜７００ｎｍの光を照射することにより、育成、衰弱という点で不安定な光合成補償点強度よりも高い光強度を与える光環境に植物をおくことができる。よって、植物照明電力を低く抑えながら植物を衰弱させず生育させることが可能となる。
【００３２】
実施の形態２.
次に、植物照明装置の具体的な構成について説明する。
まず、植物照明装置の照明部の具体的な構成について説明する。
図２はこの発明の実施の形態２を示す植物照明装置の照明部の構成図であり、（ａ）は側断面図、（ｂ）は上面図である。光源を発光ダイオード（以下ＬＥＤという、ＬＥＤはＬｉｇｈｔ  Ｅｍｉｔｔｉｎｇ  Ｄｉｏｄｅの略称）とし、ＬＥＤと面発光照明を行う導光板を用いた構造例である。
【００３３】
図において、照明部の光源部分は、ＬＥＤ７と、ＬＥＤ７へ電力供給を行うＬＥＤ電極８と、ＬＥＤ７へ電力供給を行うための配線が施されたＬＥＤ取付基板９とを備える。
【００３４】
光源部分以外には、例えば透光性の優れたアクリルなどの材料からなり、光入射及び射出効率向上のため端面を磨いた導光板１０、導光板１０表面に設けられた白色印刷塗料などの光拡散性の光拡散ドット１１、拡散ドット１１背面に配置される光拡散シート１２、また必要性に応じて導光板１０上の拡散ドットイメージを無くしたり、光を拡散させる効果を有する表面カバー１４、さらに面発光照明部筐体１３を備える。
【００３５】
ＬＥＤ７からの光はスネルの法則に従いながら、導光板１０内を進みながら拡散ドット１１にて光拡散され、導光板１０の広い一面から柔らかい光を発する。その結果、植物観賞の際、発光表面に光源メージがない均一な平面発光を得ることができ、さらに光源の光が直接観察者の目に入射することがなく、不快グレアが大幅に低減せしめる意匠性の面でも非常に優れた照明部を得ることができる。
【００３６】
なお、図２においては光源を長寿命で省エネ照明を特徴とするＬＥＤ７を用いたものを示したが、例えば所望の発光波長分布を得られるような蛍光体塗布を行った冷陰極ランプやガラス径が小径の小型電球などでもよい。
【００３７】
次に、図２の照明部を用いた植物照明装置の具体的な構成について説明する。
図３はこの発明の実施の形態２を示す植物照明装置の構成図であり、（ａ）は側面図、（ｂ）は正面図である。図において、植物照明装置は、面発光観賞照明部１５、ＬＥＤ育成照明部１６、各照明部を収納する照明部収納部１７、照明部収納部１７を支える支柱１８、対象植物を置く育成観賞用植物台座１９、及び台座シート２０さらに光源を点灯する点灯回路部６を備え、面発光観賞照明部１５は図２の照明部を同じ構造である。
【００３８】
育成照明部１６は前記短波長照明部１、あるいは赤色照明部２、あるいは遠赤色照明部３の発光波長を有するＬＥＤ７光源を直接点灯する形で、台座１９を中心に配置したものであり、２つの面発光観賞照明部１５は育成照明部１６を挟むようにその前後に配置したものである。
【００３９】
この構成により、前述した視覚的効果を有する植物照明を実現することができる。ここで、短波長照明部１の光源により極端な劣化を引き起こさないような導光板材料を選定すれば、育成照明部４についても同様の面発光導光板を用いた構成としてもよい。なお、各照明部の位置は装置上部のみに特定されるものではなく、目的に応じその位置をかえてもよい。
【００４０】
次に、植物照明装置の照明部に導光板を応用した他の構成について説明する。
図４はこの発明の実施の形態２を示す植物照明装置の観賞照明部の構成図であり、（ａ）は正面断面図、（ｂ）は側面図である。図において、少なくとも光入射端面と光射出端面を磨いた導光板の一端面に光入射させ、その反対面から射出光として照明光を得る構造とする。
【００４１】
この構成により、ＬＥＤ７からの光はやはりスネルの法則に従いながら、導光板１０ａ内を全反射しながら導光板１０ａ端面から柔らかい光を発する。また、光射出面からの発光方向を主として光射出面に垂直にな方向に揃えることができ、植物観賞の際、発光表面に光源メージが見えないほぼ均一な線発光を得ることができる。さらに、例えば導光板１０ａの側面を非透光性の拡散効果を有する材料で覆えば側面発光のない線状照明を得ることができ、光源の光が直接観察者の目に入射することがなく、不快グレアが大幅に低減でき、意匠性の面でも非常に優れた観賞照明部を得ることができる。
【００４２】
なお、上記導光板１０ａの光射出端面は平坦なものを示したが、光射出端面を凹型形状、あるいは凸型形状に加工してもよい。図５はこの発明の実施の形態２を示す植物照明装置の観賞照明部の導光板の構成図であり、（ａ）は凹型形状の導光板１０ｂ、（ｂ）は凸型形状の導光板１０ｃであり、凹型の場合は光強度を光射出端面中央方向で高めることができ、凸型の場合は光を植物周囲にも広げて照明できる利点を有する。
【００４３】
次に、図４の照明部を用いた植物照明装置の構成について説明する。
図６はこの発明の実施の形態２を示す植物照明装置の構成図であり、（ａ）は側面図、（ｂ）は正面図である。図において、植物照明装置は、線発光観賞照明部２１、ＬＥＤ育成照明部１６、各照明部を収納する照明部収納部１７、照明部収納部１７を支える支柱１８、対象植物を置く育成観賞用植物台座１９及び台座シート２０、さらに光源を点灯する点灯回路部６を備え、線発光観賞照明部２１は図４の照明部を同じ構造である。
【００４４】
この構造により、前述した視覚的効果を有する植物照明を実現することができる。
なお、凹型形状の導光板１０ｂ、凸型形状の導光板１０ｃを用いてもよい。
ここで、育成照明部４についても同様の線発光導光板１０ａ、凹型形状の導光板１０ｂ、凸型形状の導光板１０ｃを用いた構成としてもよい。、
なお、各照明部の位置は装置上部のみに特定されるものではなく、目的に応じその位置をかえてもよい。
【００４５】
実施の形態３.
次に、育成照明部４と観賞照明部５を一体化した照明部の具体的な構成について説明する。
図７はこの発明の実施の形態３を示す植物照明装置の照明部の構成図であり、（ａ）は正面断面図、（ｂ）は側面図である。
【００４６】
図において、育成照明部４には上記短波長照明部１または赤色照明部２または遠赤色照明部３の波長条件を満足するＬＥＤ光源２６を用い、ＬＥＤ光源固定板２７に固定される。ＬＥＤ光源２６は省電力、長寿命の特徴がある。
ここで、育成照明に必要な放射エネルギーは、前述のとおり観賞に必要な放射エネルギーに比較して非常に少ない場合が多い。したがって育成用光源としてＬＥＤ光源２６は好都合の光源素子であり、レンズモールドされたタイプでは指向性が高く、空間的に植物照射を効率良く行うことができる。
【００４７】
一方、観賞照明部光源２３は、例えば高演色性のクリプトン電球などを用い、指向性を有する配光特性を得るように凹型光源反射板２４を備えた構成とする。ここで、電球の発熱により観賞照明部５周囲には熱が発生し、植物に育成に障害を与える場合がある。そこで、観賞照明部５内に熱対策を施すことが必要であり、熱対策として例えば凹型光源反射板２４の上部に伸びるように放熱フィン２８を設ける、あるいは電球全面に少なくとも熱線を遮断し可視光領域を透過せしめる熱線吸収フィルタ２９あるい熱線遮断フィルタを設ける構造とすれば、植物育成に与える温度的影響を軽減することが可能となる。
【００４８】
よって、ＬＥＤ光源２６他からなる育成照明部４と観賞照明部光源２３他からなる観賞照明部５を一体固定型で光源収納部２５に収め、一体化させる。
なお、電力供給線３０により、育成照明部４と観賞照明部５へ電力が供給される。
【００４９】
次に、図７の照明部を用いた植物照明装置の具体的な構成について説明する。
図８はこの発明の実施の形態２を示す植物照明装置の構成図であり、（ａ）は側面図、（ｂ）は正面図である。図において、上記実施形態と同一または相当部分には同一符号を付け、説明を省略する。育成照明部４と観賞照明部５はそれらが一体固定型で収められる光源収納部２５内に置かれ、さらに光源収納部２５に設けられた光源収納部回動部３１を中心にして上下左右回動する構造としたものである。
【００５０】
この構造により、植物への熱効果を低減することができ、植物の形状、形態に応じ照射方向を自在に変えることができる空間的に効率良い植物育成及び観賞照明を行う植物照明装置を得ることができる。
なお、各照明部の位置は装置上部のみに特定されるものではなく、目的に応じその位置をかえてもよい。
【００５１】
実施の形態４．
次に、観賞照明部５を遠隔照明で実現する構成について説明する。
図９はこの発明の実施の形態４を示す植物照明装置の観賞照明部の構成図であり、（ａ）は光源収納部の断面図（ｂ）は光射出部の断面図である。図において、上記実施の形態と同一または相当部分には、同一符号を付け、説明を省略する。
【００５２】
観賞照明部５は、例えば光演色性のハロゲンランプなどの観賞照明部光源２３と、凹型光源反射板２４と、それらを収納する観賞照明光源収納部３２と、観賞照明光源収納部３２の光源光を光射出部３４まで搬送する光搬送部３３を備え、光射出部３４から放射される光は凹型光源反射板２４により指向性を持って照射される。
【００５３】
次に、図９の観賞照明部を用いた植物照明装置の具体的な構成について説明する。
図１０はこの発明の実施の形態４を示す植物照明装置の構成図であり、（ａ）は側面図、（ｂ）は正面図である。図において、上記実施形態と同一または相当部分には同一符号を付け、説明を省略する。
【００５４】
植物照明装置は、育成観賞用植物台座１９と一体化された観賞照明光源収納部３２と、観賞照明光源収納部３２から支柱の役割をなし、かつその内部に光搬送部３３を収納する光搬送部収納支柱３５と、育成照明部４及び観賞照明部光射出部３４を収納し、各々の光照射を行う光源収納部２５を備える。
【００５５】
この構成により、光照射部と光源は遠隔設置されることになり、光源交換を簡単に行える位置に観賞照明光源収納部３２を配置し、さらに交換取付構造を簡単にすることにより、光源の保守を容易に行うことが可能となる。なお、、観賞照明光源収納部３２の位置は図１０の位置に特定されるものではなく、目的に応じその位置をかえても良い。
【００５６】
さらに、観賞照明光源収納部３２内に８００ｎｍ以上の光を不透過とする、例えば熱線吸収フィルタ２９などの手段を有するように、あるいは光搬送部３３の材料が８００ｎｍ以上の光を不透過とする材料で構成するようにする。
この構成により、観賞照明として熱線を含まず、対象とする植物を熱放射により弱めることのない植物照明装置を実現することができる。
【００５７】
なお、本実施の形態では、育成照明部４にＬＥＤ光源２６を用いて直接照明を行う構成としているが、光搬送部３３を通した後の光照射部からの光波長分布が、上記短波長照明部１、赤色照明部２、遠赤色照明部３の光波長領域に含まれるように材料を選定、あるいは照明部を構成することにより、育成照明部４についても本実施の形態の観賞照明部と同様に遠隔照明を実現することができる。
【００５８】
実施の形態５．
次に、観賞照明部５の構成を草花、花木、樹木などの対象植物の、例えば花や葉の演色性を部分的に高めるようにした構成について説明する。
図１１はこの発明の実施の形態５を示す植物照明装置の構成図であり、図において、上記実施の形態と同一または相当部分には、同一符号を付け、説明を省略する。観賞照明部５は、対象植物の花の色の演色性を高める花演色照明部３６と、葉の色の演色性を高める葉演色照明部３７を備える。
【００５９】
次に、動作について説明する。
まず、両部の演色性を高める一方法として、特殊演色評価数（参考文献；色の性質と技術  １９９０初版第３刷  応用物理学会光学懇談会、朝倉書店１０８頁）を示す。特殊演色評価数はＣＩＥ（国際照明学会）特殊演色評価数計算用の６種中のある試験色に対して、試験照明光の演色性が高い場合、最高値１００とした高い数値を示すものである。表１にＣＩＥ（国際照明学会）特殊演色評価数計算用の６種の試験色の種類と名称（英語）を示す（参考文献；照明学会編１９８７年照明ハンドブック、オーム社、５５６頁）。
【００６０】
【表１】
0004388664.tif 000002
【００６１】
そこで、対象植物が特定される場合、その対象植物における例えば花や葉などのある主構成部分が有する色名を例えば通常の生活で用いる赤、青、緑などのようなカテゴリカラーとして予測することができる。例えば花の色が赤としてカテゴライズされる場合には、表１の試験色中９番のＳｔｒｏｎｇ  ｒｅｄが最も近い色となる。したがって予めその色の特殊演色評価数を高める照明光を発するように光源選定含め花演出照明部を構成すれば、花について高い演色効果を得ることができる。
【００６２】
このように照明部を構成することは、対象植物の他の構成部分についても当てはまるものであり、例えば葉についても同様の方法で葉演色照明部３７を構成すれば、葉の部分に対する演色効果を高めることができる。
【００６３】
また、上記特殊演色評価数を用いて複数の主構成部分に応じ演色性を高める照明部を、観賞照明部５中に複数設けても構わない。その場合、それらを照明部を植物の観賞の目的に合わせ選択的に点消灯することで、対象構成部分の演色性を植物の他の部分に対して引き立たせることができ、全体的に観賞効果を向上させることができる。
【００６４】
実施の形態６．
次に、育成照明部４または観賞照明部５に複数の照明部を用いた植物照明装置について説明する。
図１２はこの発明の実施の形態６を示す植物照明装置の観賞照明部の発光分布を示す図である。図において、実線ａ、ｂ、ｃは例えば観賞照明部５が３つの照明部を有する場合のそれらの相対発光波長分布を示す。灰色線ｅはＪＩＳ常用光源であるＤ６５光源の相対発光波長分布を示す。実線ｄは観賞照明部５の複数照明部の各々の照明光の混光比を、混光波長分布がＤ６５波長分布に最も近くなるように決定したものである。混光比の決定は例えば各波長におけるＤ６５波長成分と混光波長成分の差の２乗を４５０ｎｍ〜６００ｎｍの波長で積算、それを最小とする方法などがある。
なお、植物照明装置の全体の構成図は、図１と同様である。
【００６５】
このように観賞照明部５が複数の照明部で構成する場合に、上記のような方法で各照明部の混光比を決定し照明することにより、観賞照明部５として演色性の高い照明光を与えることができる。
なお、混光波長成分を近似させる対象光源はＪＩＳ常用光源（Ｄ６５光源、Ｄ５０光源、Ｄ５５光源、Ｄ７５光源）の他、演色性の高いＪＩＳ標準光源（Ａ光源、Ｃ光源）であってもよい
【００６６】
また、上記の混光比の決定は、観賞照明部５を構成する照明部の他、育成照明部４の各照明部とを併せ混光を行ってもよく、この場合３５０〜８００ｎｍの可視光全域を含む波長領域で常用光源あるいは標準光源に、その波長分布を近づけることができるため非常に演色性の高い照明光を実現できる。図１３でその様子を示す。
図１３はこの発明の実施の形態６を示す植物照明装置の育成照明部の発光分布を示す図である。図において、実線ａ、ｂ、ｃは観賞照明部５を構成する照明部、灰色線ｅ、ｆ、ｇは照明部４を構成する照明部の相対発光波長分布、実線ｈは例えば上記方法により得られる混光の相対波長分布を示している。灰色線ｉはＪＩＳ常用光源であるＤ６５光源の相対発光波長分布を示す。
【００６７】
実施の形態７．
次に、スケジュール機能を有する植物照明装置について説明する。
図１４はこの発明の実施の形態７を示す植物照明装置の構成図であり、図において、上記実施形態と同一または相当部分には同一符号を付け、説明を省略する。３８はタイマーであり、育成照明部４、観賞照明部５各々を点灯する点灯回路部６内にタイマー３８を設け、各照明部の点灯スケジュールを各々個別に設定するように構成する。
【００６８】
これにより、例えば観賞効果をあまり期待できない育成照明を夜間に重点的に行い、昼間は観賞効果向上を狙い観賞照明部５を支配的に点灯させるなどの照明を行うことができる。また、対象植物の育成のために必要な一日の照射時間が既知の場合には、それに合わせあらかじめ効率的な育成照明部４の点灯スケジュールを設定することが可能となる。
【００６９】
実施の形態８．
次に、人体検出機能を有する植物照明装置について説明する。
図１５はこの発明の実施の形態８を示す植物照明装置の構成図であり、図において、上記実施形態と同一または相当部分には同一符号を付け、説明を省略する。３９は人間が接近することに反応する検出手段であり、植物照明装置一体型あるいは分離型で構成され、待機時には少なくとも観賞照明部５が消灯し、検出時には少なくとも観賞照明部５が点灯するように構成する。
【００７０】
これにより人が接近してきた場合には植物観賞できるように観賞照明部５を点灯し、また周囲に人がいなくなった場合には観賞照明部５を消灯し、観賞性が必ずしも高いとは言えないが植物の形態形成などを行う育成照明部４のみを点灯するように構成する。
よって、育成、観賞を実現しつつ効率的な照明による省エネ照明を実現することができる。
【００７１】
【発明の効果】
この発明は、以上説明したように構成されているので、以下に示すような効果を奏する。
【００７２】
光波長領域３５０〜４５０ｎｍの光を発する短波長照明部、光波長領域６００〜７００ｎｍの光を発する赤色照明部、光波長領域７００〜８００ｎｍの光を発する遠赤色照明部のうち、少なくとも１つの照明部を有する育成照明部と、光波長領域４５０〜６００ｎｍの光を発する観賞照明部と、前記育成照明部と前記観賞照明部を点灯する点灯回路部とを備えたので、植物の育成効果を生じつつ、同時に植物の演色性、演出を向上させる観賞照明を行うことができる。
【００７３】
また、前記育成照明部の短波長照明部、赤色照明部、遠赤色照明部のうち一つまたは全部の照明部、または前記観賞照明部を、選択的に調光するので、周囲空間の配色や照度に応じ、観賞照明部の照射量を調整し花木の色の演出効果や演色性を高めることができる。
【００７４】
また、前記育成照明部の総照射量および前記観賞照明部の照射量を対象植物特有の光合成光補償点強度以上かつ光合成飽和点強度以下にするので、植物成長に最大限利用されるエネルギーを限度に、植物を衰弱させないエネルギーを供給することができる。
【００７５】
また、前記観賞照明部の照射量を対象植物特有の光合成光補償点強度とし、かつ前記育成照明部では少なくとも赤色照明部により照射するので、植物照明電力を低く抑えながら植物を衰弱させず生育させることが可能となる。
【００７６】
また、前記育成照明部または前記観賞照明部は、透光性材料からなる導光板と、この導光板の一端面に配置される光源と、この光源と前記導光板を収納する筐体とを備えたので、光源の光が直接観察者の目に入射することが少なく、不快グレアが大幅に低減でき、意匠性の面でも非常に優れた照明部を得ることができる。
【００７７】
また、前記育成照明部は、発光ダイオードを有する光源を備え、前記観賞照明部は、高演色評価指数を有する電球を有する光源と、この光源に装着された凹型反射板と、前記光源から対象植物方向に発生する熱を低減する熱対策部とを備え、前記育成照明部と前記観賞照明部の照射方向を可変とする筐体に一体収納するので、植物への熱効果を低減することができ、植物の形状、形態に応じ照射方向を自在に変えることができる空間的に効率良い植物育成及び観賞照明を行うことができる。
【００７８】
また、前記観賞照明部は、照明用光源を収納する光源収納部と、この光源収納部から隔てて設けられ、照明を行う光出射部と、この光出射部と前記光源収納部を結び、前記光源収納部からの光を前記光出射部へ搬送する透光性光搬送部とを備え
前記光源収納部に８００ｎｍ以上の光を不透過とする手段、または前記透光性光搬送部に８００ｎｍ以上の光を不透過とする光搬送部材料を有するので、光源の保守を容易に行うことが可能になるとともに、観賞照明として熱線を含まず、対象とする植物を熱放射により弱めることがない。
【００７９】
また、前記観賞照明部は、対象植物の主構成部分が有する色に対して、国際照明学会特殊演色評価数計算用の試験色に対する特殊演色性評価数を高める発光分布を有する照明部を備えたので、対象植物の主構成部分の演出効果を高めることができる。
【００８０】
また、前記観賞照明部に前記照明部を複数設け、複数の前記照明部を選択的に点消灯するので、対象構成部分の演色性を植物の他の部分に対して引き立たせることができ、全体的に観賞効果を向上させることができる。
【００８１】
また、前記育成照明部または前記観賞照明部に複数の照明部を備え、前記複数の照明部を各々調光し、混光して得られる混光波長分布をＪＩＳ標準光源またはＪＩＳ常用光源の発光波長分布に近似するので、演色性の高い観賞照明を実現することができる。
【００８２】
また、前記育成照明部または前記観賞照明部に複数の照明部を備え、照前記複数の明部の点灯スケジュールを各々個別に設定するタイマーを備えたので、植物照明の目的に応じ、あらかじめ効率的に各照明部の点灯スケジュールを設定することができ、省エネ照明を実現することができる。
【００８３】
また、  人の接近、在否を検出する人体検出手段を備え、前記検出手段による人の接近、在否の検出時には観賞照明部を点灯し、非検出時には観賞照明部を消灯するので、育成、観賞を実現しつつ人の在、不在に応じた効率的な照明による省エネ照明を実現することができる。
【図面の簡単な説明】
【図１】  この発明の実施の形態１を示す植物照明装置の構成図である。
【図２】  この発明の実施の形態２を示す植物照明装置の観賞照明部の構成図である。
【図３】  この発明の実施の形態２を示す植物照明装置の構成図である。
【図４】  この発明の実施の形態２を示す植物照明装置の照明部の構成図である。
【図５】  この発明の実施の形態２を示す植物照明装置の照明部の導光板の構成図である。
【図６】  この発明の実施の形態２を示す植物照明装置の構成図である。
【図７】  この発明の実施の形態３を示す植物照明装置の照明部の構成図である。
【図８】  この発明の実施の形態３を示す植物照明装置の構成図である。
【図９】  この発明の実施の形態４を示す植物照明装置の観賞照明部の構成図である。
【図１０】  この発明の実施の形態４を示す植物照明装置の構成図である。
【図１１】  この発明の実施の形態５を示す植物照明装置の構成図である。
【図１２】  この発明の実施の形態６を示す植物照明装置の観賞照明部の発光分布を示す図である。
【図１３】  この発明の実施の形態６を示す育成照明装置の観賞照明部の発光分布を示す図である。
【図１４】  この発明の実施の形態７を示す植物照明装置の構成図である。
【図１５】  この発明の実施の形態８を示す植物照明装置の構成図である。
【図１６】  従来の植物照明装置の斜視図である。
【符号の説明】
１  短波長照明部、  ２  赤色照明部、  ３  遠赤色照明部、  ４  育成照明部、  ５  観賞照明部、  ６  点灯回路部、  ７  ＬＥＤ、  ８  ＬＥＤ電極、９  ＬＥＤ取付基板、  １０  導光板、  １１  光拡散ドット、  １２  光拡散シート、  １３  面発光照明部筐体、  １４  表面カバー、  １５  面発光観賞照明部、  １６  ＬＥＤ育成照明部、  １７  照明部収納部、  １８  支柱、１９  育成観賞用植物台座、  ２０  台座シート、  ２１  線発光観賞照明部、  ２３  観賞照明部光源、  ２４  凹型光源反射板、  ２５  光源収納部、  ２６  ＬＥＤ光源、  ２７  ＬＥＤ光源固定板、  ２８  放熱フィン、  ２９  熱線吸収フィルタ、  ３０  電力供給線、  ３１  光源収納部回動部、  ３２  観賞照明光源収納部、  ３３  光搬送部、  ３４  光射出部、  ３５  光搬送部収納支柱、  ３６  花演色照明部、  ３７  葉演色照明部、  ３８  タイマー、３９  人体検出手段。
【図１】
0004388664.tif 000003
【図２】
0004388664.tif 000004
【図３】
0004388664.tif 000005
【図４】
0004388664.tif 000006
【図５】
0004388664.tif 000007
【図６】
0004388664.tif 000008
【図７】
0004388664.tif 000009
【図８】
0004388664.tif 000010
【図９】
0004388664.tif 000011
【図１０】
0004388664.tif 000012
【図１１】
0004388664.tif 000013
【図１２】
0004388664.tif 000014
【図１３】
0004388664.tif 000015
【図１４】
0004388664.tif 000016
【図１５】
0004388664.tif 000017
【図１６】
0004388664.tif 000018